(57)【特許請求の範囲】
【請求項１】
磁気テープの記録内容の管理情報等を格納する電子部品又はそのダミー部品が、カートリッジケースの後端壁と仕切壁とで画成された収容スペース内に組付けられる磁気テープカートリッジにおいて、前記仕切壁は、前記収容スペース内に嵌め込まれた電子部品又はそのダミー部品の略中央部に対向する一部分のカートリッジケース底面からの高さが他の部分より高く形成されると共に、該一部分の上端部には収容スペース側に誘い込みテーパーが形成され、前記他の部分にはその高さが前記一部分から漸次低く傾斜する上端縁が形成されていること特徴とする磁気テープカートリッジ。
【発明の詳細な説明】
【０００１】
【発明の属する技術分野】
本発明は、記録用の磁気テープとは別に、記録内容の管理情報等を格納するための電子部品が組付けられた磁気テープカートリッジに関する。
【０００２】
【従来の技術】
従来、特開昭６３−１６８８８９号公報等において、信号記録用の磁気テープとは別に、記録内容の管理情報等を格納するための電子部品をカートリッジケースに組付け、外部に露出した電子部品の接点を介して記録再生装置（ハード装置）と電子部品との間で管理情報の信号授受を行うようにした磁気テープカートリッジが知られている。
【０００３】
【発明が解決しようとする課題】
ところで、この種の磁気テープカートリッジでは、カートリッジケースの所定位置に画成された収容スペース内に後から別に用意した電子部品を嵌め込む構造を採用することが多いため、カートリッジケースに組付けた状態で電子部品がガタつき、異音や摩耗粉を発生するおそれがあった。特に、ディジタル信号が記録される磁気テープカートリッジでは、この様な摩耗粉が磁気テープに付着すると、記録信号の欠落といった記録不良を招いてしまう。又、このように電子部品がガタつくと、ハード装置の接触端子と電子部品の接点とが接触不良を起こす可能性がある。
【０００４】
又、上述のような電子部品のガタつきを防止するべく、カートリッジケースと電子部品との間に特別な固定手段を設けたり、収容スペースを画成するカートリッジケースの後端壁と仕切壁とのクリアランスを小さくしたのでは、電子部品の組込み適性や装着安定性が低下すると共に、コストアップを招いてしまう。
従って、本発明の目的は上記課題を解消することに係り、収納する電子部品又はそのダミー部品の収納スペースの構造を改良することにより、電子部品の組み込みを容易にするとともにガタツキの発生を抑止することができる安価で良好な磁気テープカートリッジを提供することである。
【０００５】
【課題を解決するための手段】
本発明の上記の目的は、磁気テープの記録内容の管理情報等を格納する電子部品又はそのダミー部品が、カートリッジケースの後端壁と仕切壁とで画成された収容スペース内に組付けられる磁気テープカートリッジにおいて、前記仕切壁は、前記収容スペース内に嵌め込まれた電子部品又はそのダミー部品の略中央部に対向する一部分のカートリッジケース底面からの高さが他の部分より高く形成されると共に、該一部分の上端部には収容スペース側に誘い込みテーパーが形成され、前記他の部分にはその高さが前記一部分から漸次低く傾斜する上端縁が形成されていること特徴とする磁気テープカートリッジより達成される。
【０００６】
上記構成によれば、電子部品を収容スペース内に組付ける際、先ず、電子部品の略中央部が、仕切壁の一部分の上端部に形成された誘い込みテーパーにより案内され、挿入の方向づけがなされる。この時、仕切壁の他の部分は電子部品に干渉しないので、電子部品の挿入の方向づけが容易である。そこで、仮に電子部品が斜めに挿入されても、仕切壁の一部分において方向づけされてから収容スペース内に挿入され、ある程度挿入された時点で、カートリッジケースの後端壁と仕切壁とで挾持される。従って、カートリッジケースの後端壁と仕切壁とのクリアランスを小さくしても、組込み適性や装着安定性が低下しない。ダミー部品の場合も同様である。
尚、好ましくは前記仕切壁の他の部分が、仕切壁の一部分から漸次低く傾斜する上端縁を有するように形成される。
【０００７】
【発明の実施の形態】
以下、添付図面に基づいて本発明の一実施形態を詳細に説明する。
図１は本発明の一実施形態に係る磁気テープカートリッジの要部拡大分解斜視図、図２は電子部品等を挿入した状態を示す図１に示した磁気テープカートリッジの平面図、図３は磁気テープカートリッジの全体構成を示す外観斜視図、図４は図１のＡ矢視による本発明の要部拡大分解斜視図、図５は図１のＢ矢視による本発明の要部拡大正面図、図６は図５のＣ−Ｃ断面図である。
【０００８】
先ず、図３を参照して磁気テープカートリッジＭの概略について述べる。磁気テープカートリッジＭは、樹脂成形品としてのカートリッジケース１の内部に図示略の磁気テープを収容したものである。カートリッジケース１は、下ハーフ２と上ハーフ３とを有しており、それらの後端壁２ａ，３ａの一端部には、磁気テープの記録内容の管理情報等を格納する管理データ格納部５と誤消去防止部６とが隣接して設けられている。誤消去防止部６は、上ハーフ３の後端壁３ａに設けた開口２１より爪部２２を露出させた誤消去防止片２０によって構成されている。
【０００９】
前記管理データ格納部５は必要に応じて設けられるもので、必要のない場合には設けられない。図示例の磁気テープカートリッジＭは、カートリッジケース１の後端壁内部にＩＣボード（電子部品）１０を組付けることによって、管理データ格納部５を構成している。
図１に示すように、下ハーフ２の後端壁２ａには、前記ＩＣボード１０の複数の接点１２を外部に露出させるための桟１７で区画された開口１１が、接点１２に対応して複数設けられている。
【００１０】
前記管理データ格納部５を設ける必要がない場合は、ＩＣボード１０を組付けずに、その代替品として図示していないが、ダミーボードを組付ける。ダミーボードは、下ハーフ２の接点露出用の開口１１を塞ぐために設けられるものであり、ＩＣボード１０とほとんど同じ外形のものである。しかし、ダミーボードを組つける主たる目的が、開口１１を塞ぐだけであるから、必要に応じて開口１１の背後に対応するだけの大きさに縮小したものを用いることもできる。
【００１１】
図１及び図４は、管理データ格納部５を拡大し、かつ分かりやすいように一部を破断して示している。ＩＣボード１０は、略Ｌ字形に形成された平板状の基板１３の面部に回路１４と接点１２とを設けたものである。ＩＣボード１０が下ハーフ２の後端壁２ａに沿って設けた電子部品組付け位置である収容スペース１５内に嵌め込まれた状態では、接点１２が下ハーフ２の後端壁２ａに設けた開口１１より露出される。そして、その接点１２に対して、開口１１を通してハード装置側の接点が接触できるようになっている。
【００１２】
前記ＩＣボード１０が収容される収容スペース１５は、後端壁２ａと、該後端壁に平行な仕切壁１６とによって画成されており、該仕切壁１６の背後には更に背後の背面壁２９によって画成される誤消去防止片２０の格納スペース２８が隣設されている。また、対向する後端壁２ａと仕切壁１６との間隔Ｓは、ＩＣボード１０の板厚寸法Ｔよりも僅かに広い程度に設定されている。
【００１３】
前記仕切壁１６は、ＩＣボード１０の面部に設けられた接点１２の設置範囲の長手方向長さにほぼ相当する長さでカートリッジ幅方向に形成されている。又、仕切壁１６は、収容スペース１５内に嵌め込まれたＩＣボード１０の略中央部に対向する一部分３０のカートリッジケース底面からの高さが後端壁２ａの高さと同一の高さを有し、他の部分３１の高さが開口１１の概ね半分より高い位置までの高さを有するように、即ち、一部分３０の高さが他の部分３１の高さより高くなるように形成されている。更に、前記一部分３０の上端部には、収容スペース１５側に傾斜する誘い込みテーパー３２が形成されている。
【００１４】
そして、前記ＩＣボード１０を収容スペース１５内に組付ける際、先ず、ＩＣボード１０の略中央部が、仕切壁１６の一部分３０の上端部に形成された誘い込みテーパー３２により案内され、挿入の方向づけがなされる。この時、仕切壁１６の他の部分３１はＩＣボード１０に干渉しないので、ＩＣボード１０の挿入の方向づけが容易である。そこで、仮にＩＣボード１０が斜めに挿入されても、仕切壁１６の一部分３０において方向づけされてから収容スペース１５内に挿入され、ある程度挿入された時点で、下ハーフ２の後端壁２ａと仕切壁１６とで挾持される。
【００１５】
従って、本実施形態における磁気テープカートリッジＭは、前記後端壁２ａと仕切壁１６とのクリアランスを小さくしても、ＩＣボード１０の組込み適性や装着安定性が低下しないので、カートリッジケース１に組付けた状態でＩＣボード１０がガタつき、異音や摩耗粉を発生することがなく、この様な摩耗粉が磁気テープに付着して記録信号の欠落といった記録不良を招くおそれがない。
又、前記仕切壁１６の他の部分３１は、開口１１の概ね半分より高い位置までの高さを有するので、ＩＣボード１０の接点１２がハード装置の接触端子（図示せず）に押圧付勢された際にも、該ＩＣボード１０を前記接触端子の押圧付勢力に抗して確実に支持することができ、接触不良を起こすおそれもない。尚、図１及び図４では、前記一部分３０が実質的に仕切壁１６の端部となっているが、本願に係る発明はこれに限られない。
【００１６】
図７乃至図９は、本発明の他の実施形態に係る磁気テープカートリッジの要部拡大分解斜視図、要部拡大正面図及びＤ−Ｄ断面図である。尚、本実施形態の磁気テープカートリッジは、収容スペース１５を画成する仕切壁１８を除く他の構成部分については上記実施形態における磁気テープカートリッジＭと略同様の構成を有しているので、同符号を付して詳細な説明を省略する。
【００１７】
前記仕切壁１８は、上記実施形態における仕切壁１６と同様に、ＩＣボード１０の面部に設けられた接点１２の設置範囲の長手方向長さにほぼ相当する長さでカートリッジ幅方向に形成されている。又、仕切壁１８は、収容スペース１５内に嵌め込まれたＩＣボード１０の略中央部に対向する一部分３０のカートリッジケース底面からの高さが後端壁２ａの高さと同一の高さを有し、他の部分３１の高さが前記一部分３０から漸次低く傾斜する上端縁３４を有するように、即ち、一部分３０の高さが他の部分３１の高さより高くなるように形成されている。更に、前記一部分３０の上端部には、収容スペース１５側に傾斜する誘い込みテーパー３５が形成されている。
【００１８】
従って、本実施形態における磁気テープカートリッジは、上記実施形態における磁気テープカートリッジと同様に、前記後端壁２ａと仕切壁１８とのクリアランスを小さくしても、ＩＣボード１０の組込み適性や装着安定性が低下しないので、カートリッジケース１に組付けた状態でＩＣボード１０がガタつき、異音や摩耗粉を発生することがなく、この様な摩耗粉が磁気テープに付着して記録信号の欠落といった記録不良を招くおそれがない。
【００１９】
又、前記仕切壁１８の他の部分３１は、前記一部分３０から漸次低く傾斜する上端縁３４を有しており、仮にＩＣボード１０が後端壁２ａ側に凸形状の反りを生じていても、該ＩＣボード１０は前記上端縁３４に倣って矯正されながら収容スペース１５内に組付けられるので、組込み適性が低下することはない。
尚、上記各実施形態においては、ＩＣボード１０の収容スペース１５内への組付けについて述べたが、ＩＣボード１０の代替品としてのダミーボードを用いた場合も同様の作用効果を有する。
【００２０】
【発明の効果】
以上説明したように、本発明の磁気カートリッジによれば、電子部品を収容スペース内に組付ける際、先ず、電子部品の略中央部が、仕切壁の一部分の上端部に形成された誘い込みテーパーにより案内され、挿入の方向づけがなされる。この時、仕切壁の他の部分は電子部品に干渉しないので、電子部品の挿入の方向づけが容易である。そこで、仮に電子部品が斜めに挿入されても、仕切壁の一部分において方向づけされてから収容スペース内に挿入され、ある程度挿入された時点で、カートリッジケースの後端壁と仕切壁とで挾持される。従って、カートリッジケースの後端壁と仕切壁とのクリアランスを小さくしても、組込み適性や装着安定性が低下しない。
即ち、カートリッジケースに組付けた状態で電子部品がガタつき、異音や摩耗粉を発生することがなく、この様な摩耗粉が磁気テープに付着して記録信号の欠落といった記録不良を招くおそれがない。
従って、収納する電子部品又はそのダミー部品の収納スペースの構造を改良することにより、電子部品の組み込みを容易にするとともにガタツキの発生を抑止することができる安価で良好な磁気テープカートリッジを提供できる。
【図面の簡単な説明】
【図１】本発明の一実施形態に係る磁気テープカートリッジの要部拡大分解斜視図である。
【図２】電子部品等を挿入した状態を示す図１に示した磁気テープカートリッジの平面図である。
【図３】磁気テープカートリッジの全体構成を示す外観斜視図である。
【図４】図１のＡ矢視による本発明の要部拡大分解斜視図である。
【図５】図１のＢ矢視による本発明の要部拡大正面図である。
【図６】図５のＣ−Ｃ断面図である。
【図７】本発明の他の実施形態に係る磁気テープカートリッジの要部拡大分解斜視図である。
【図８】図７に示した磁気テープカートリッジの要部拡大正面図である。
【図９】図８のＤ−Ｄ断面図である。
【符号の説明】
１  カートリッジケース
２  下ハーフ
２ａ  後端壁
３  上ハーフ
１０  ＩＣボード（電子部品）
１１  開口
１５  収容スペース
１６  仕切壁
３０  一部分
３１  他の部分
３２  誘い込みテーパ
Ｍ  磁気テープカートリッジ
【図１】
0003687822.tif 000002
【図２】
0003687822.tif 000003
【図３】
0003687822.tif 000004
【図４】
0003687822.tif 000005
【図５】
0003687822.tif 000006
【図６】
0003687822.tif 000007
【図７】
0003687822.tif 000008
【図８】
0003687822.tif 000009
【図９】
0003687822.tif 000010